(57)【要約】【課題】  引き戸障子のメンテナンスが容易にできると共に室外側からの格子体の開閉操作が困難で防犯に優れた面格子を提供する。【解決手段】  本発明の面格子１は、上部をサッシ枠９の上部に対して回転自在に連結しており、下取付具７は格子体３の下部に固定する格子体側ブラケット１５と、サッシ枠９の下部に固定するサッシ枠側ブラケット１７と、両ブラケット間に設けた突き出し・折り畳み自在アーム１９と、格子体側ブラケットに回転自在に設けた操作摘み２１と、サッシ枠側ブラケット１７に設けた貫通孔２５と、格子体側ブラケット１５に開閉自在に設けた蓋２３とを有し、貫通孔２５は操作摘み２１を貫通自在な大径部２７と操作摘み２１を係止自在な小径部２９とを有し、蓋２３は閉じた位置で貫通孔２５に係止した操作摘み２１を遮蔽し且つサッシ枠９に配置した全閉状態の引き戸障子１１に対向している。【選択図】      図１
2005232888.tif 000002
【特許請求の範囲】
【請求項１】
格子体と、上取付具と、下取付具とを備え、上取付具は格子体の上部をサッシ枠の上部に対して水平軸周りに回転自在に連結しており、下取付具は格子体の下部に固定する格子体側ブラケットと、サッシ枠の下部に固定するサッシ枠側ブラケットと、両ブラケット間に設けた突き出し・折り畳み自在アームと、格子体側ブラケットに回転自在に設けた操作摘みと、サッシ枠側ブラケットに設けた貫通孔と、格子体側ブラケットに開閉自在に設けた蓋とを有し、貫通孔は操作摘みを貫通自在な大径部と操作摘みを係止自在な小径部とを有し、蓋は閉じた位置で貫通孔に係止した操作摘みを遮蔽し且つサッシ枠に配置した全閉状態の引き戸障子に対向していることを特徴とする面格子。
【発明の詳細な説明】
【技術分野】
【０００１】
本発明は、面格子に関する。
【背景技術】
【０００２】
特許文献１には、格子体の上部をサッシ枠に対して水平軸回りに回転自在に設け、格子体の下部に突き出し・折り畳み自在アームを設けると共に、サッシ枠に固定したサッシ枠側ブラケットと格子体に固定した格子体側ブラケットとを係止する操作摘みを室内側から回転操作して係合及び解除することにより、格子体の下部を突き出したり折り畳んだりすることが開示されている。
【０００３】
【特許文献１】特開２００２−７０４４９号公報
【発明の開示】
【発明が解決しようとする課題】
【０００４】
しかし、上述の従来技術では、例えば第三者が室外側から格子体の隙間に手を入れて、操作摘みの操作が可能であるため、防犯性に劣るという問題がある。
【０００５】
そこで、本発明は、引き戸障子のメンテナンスが容易にできると共に室外側からの格子体の開閉操作が困難で防犯に優れた面格子の提供を目的とする。
【課題を解決するための手段】
【０００６】
請求項１に記載の発明は、格子体と、上取付具と、下取付具とを備え、上取付具は格子体の上部をサッシ枠の上部に対して水平軸周りに回転自在に連結しており、下取付具は格子体の下部に固定する格子体側ブラケットと、サッシ枠の下部に固定するサッシ枠側ブラケットと、両ブラケット間に設けた突き出し・折り畳み自在アームと、格子体側ブラケットに回転自在に設けた操作摘みと、サッシ枠側ブラケットに設けた貫通孔と、格子体側ブラケットに開閉自在に設けた蓋とを有し、貫通孔は操作摘みを貫通自在な大径部と操作摘みを係止自在な小径部とを有し、蓋は閉じた位置で貫通孔に係止した操作摘みを遮蔽し且つサッシ枠に配置した全閉状態の引き戸障子に対向していることを特徴とする。
【発明の効果】
【０００７】
請求項１に記載の発明によれば、格子体が閉じ位置にあるときには、格子体側ブラケットに設けた操作摘みはサッシ枠側ブラケットに設けた貫通孔を貫通して小径部に係止していると共に、格子体側ブラケットに設けた蓋を閉じて操作摘みを遮蔽しており且つ蓋は引き戸障子に対向している。したがって、第三者が室外側から蓋を開けようとしても引き戸障子が邪魔になって蓋を開けることができず、防犯性に優れる。しかも、操作摘みは蓋により外部から遮蔽されているので、蓋の内に操作摘みがあることが分かり難いのでこの点においても防犯性が高い。
一方、引き戸障子のメンテナンス時においては、引き戸障子を開き位置に移動して蓋との対向位置から外せば蓋を開くときの邪魔にならないので、室内側から蓋を開けて操作摘みを露出して回転し、操作摘みを貫通孔の小径部から大径部に位置させて操作摘みとサッシ枠側ブラケットとの係止を解除し、格子体の上部を水平軸周りに回動させて開く。これにより、格子体の下部が室外側に移動して引き戸障子が取り外し自在になるので、引き戸障子を外してメンテナンスをすることができる。
【発明を実施するための最良の形態】
【０００８】
以下に、添付図面を参照して本発明の実施の形態を詳細に説明する。図１（ａ）は本実施の形態にかかる面格子を取り付けたサッシの縦断面図、（ｂ）は下取付具を室内側から見た裏面図であり、図２は図１（ａ）に示す面格子において左右方向左側にある下取付具及びその周囲部分を示す横断面図であり、図３は図２において面格子を開いた状態における面格子の下取付具及びその周囲部分を示す横断面図であり、図４は図１（ａ）に示す面格子において、左右方向左側にある上取付具及びその周囲部分を示す横断面図である。尚、図１（ａ）において二点鎖線は格子体の開き状態を示している。また、図２〜図３は面格子を取り付けたサッシの左側のみを示しているが、右側にある上取付具及び下取付具とそれらの各周囲部分は略対称であるから省略する。
本実施の形態にかかる面格子１は、サッシ２に取り付けてあり、面格子１は格子体３と、上取付具５と、下取付具７とを備えている。
サッシ２は引き戸サッシであり、サッシ枠９には引き戸障子１１が開閉自在に設けてある。引き戸障子１１は本実施の形態では、網戸である。
上取付具５と下取付具７とはそれぞれサッシ枠９及び格子体３の左右に取り付けてあるが、左右の各取付具５、７は略同じ構成であるため、以下の説明では左右のうちの一方の上取付具５と下取付具７とについて説明する。
上取付具５は格子体３の上部３ａとサッシ枠９の上部９ａとに取り付けてあり、格子体３の上部３ａをサッシ枠９の上部９ａに対して水平軸１３の軸周りに回転自在に連結している。
下取付具７は格子体３の下部３ａに固定した格子体側ブラケット１５と、サッシ枠９の下部９ｂに固定したサッシ枠側ブラケット１７と、両ブラケット１５、１７間に設けた突き出し・折り畳み自在アーム１９とを有している。
格子体側ブラケット１５には、操作摘み２１と、蓋２３とが設けられており、操作摘み２１は格子体側ブラケット１５の室内側面に回転自在に取り付けられている。蓋２３は格子体側ブラケット１５に回転軸１６周りに開閉自在に設けてあり、開位置（図３参照）で操作摘み２１を露出し、閉位置で操作摘み２１を覆って室内側から遮蔽している。
また、本実施の形態では蓋２３は閉位置でねじ１８により格子体側ブラケット１５の側壁に固定されている。
サッシ枠側ブラケット１７には、一端部１７ａをサッシに固定してあり、格子体側ブラケットに対向する位置には貫通孔２５が設けてあり、この貫通孔２５は、操作摘み２１を貫通自在な大径部２７と操作摘み２１が係止自在な小径部２９とが設けてある。大径部２７は小径部２９から連続した長孔状に形成されており、操作摘み２１は小径部に係止可能としてあり且つ大径部２７は貫通自在である。
操作摘み２１は蝶ナットである。
突き出し・折り畳み自在アーム１９は格子体側ブラケット１５に連結した格子体側アーム３５と、サッシ枠側ブラケット１７に回動自在に連結したサッシ側アーム３７と、両アーム３５、３７を水平軸３３で連結して、突き出し及び折り畳みが自在になっている。
格子体３の閉じ位置では、格子体側ブラケット１５が引き戸障子１１を閉じた位置において、格子体側ブラケット１５をサッシ枠側ブラケットに１７に室外側から重ねて位置し且つサッシ枠側ブラケット１７を格子体側ブラケット１５と蓋２３とで挟むように蓋２３を閉じてあり、蓋２３は全閉状態にある障子１１に当接している。
【０００９】
次に、本実施の形態にかかる作用効果について説明する。
面格子１を図３に示す開き位置から図２に示す閉じ位置にする場合には、引き戸障子１１を開いた状態にしておき、蓋２３を開いた状態にしたまま、突き出し・折り畳み自在アーム１９を突き出し位置から折り畳み位置にして格子体３の下部をサッシ枠９に近づけて、格子体側ブラケット１５に設けてある操作摘み２１をサッシ枠側ブラケット１７に設けてある貫通孔２５の大径部２７を室外側から貫通させて、格子体側ブラケット１５とサッシ枠側ブラケット１７とを重ね、次に操作摘み２１を回転させて操作摘み２１を小径部２９に係止する。これにより格子体側ブラケット１５とサッシ枠側ブラケット１７とが固定される。そして、格子体側ブラケット１５に設けてある蓋２３を操作摘み２１を覆うようして閉じ、ねじ１８で蓋２３を格子体ブラケット１５に固定する。次に、引き戸障子１１を全閉じ状態にして蓋２３を引き戸障子１１に室外側から当接させる。
このようにして、格子体３を閉じた位置の状態では、蓋２３は引き戸障子１１に当接させているので、室外側からの操作では蓋２３を開けることができず、防犯性に優れる。
更に、蓋２３により操作摘み２１を隠しているので、第三者が操作摘み２１を発見し難く、この点においても防犯性が高い。
一方、引き戸障子１１のメンテナンス等のため、格子体３を開く場合には、引き戸障子１１を開けて蓋２３との当接を外し、蓋２３を開ける。次に、操作摘み２１を回転して大径部２７に位置させて格子体３の下端部を室外側に向けて押すことにより、操作摘み２１は大径部２７を通り抜けて、サッシ枠側ブラケット１７から外れ、格子体３は図１の二点鎖線又は図３に示すように開かれ、引き戸障子１１が脱着可能となる。
【００１０】
本発明は、上述した実施の形態に限らず、本発明の要旨を逸脱しない範囲で種々変形可能である。
例えば、引き戸障子１１は網戸に限らず、ガラス戸であってもよい。
蓋２３は閉じ位置にあるときにねじ１８で止めずに、格子体側ブラケット１５に係止させるものであってもよい。
【図面の簡単な説明】
【００１１】
【図１】（ａ）は本実施の形態にかかる面格子を取り付けたサッシの縦断面図、（ｂ）は下取付具を室内側から見た裏面図である。
【図２】図１（ａ）に示す面格子において左右方向左側にある下取付具及びその周囲部分を示す横断面図である。
【図３】図２において面格子を開いた状態における面格子の下取付具及びその周囲部分を示す横断面図である。
【図４】図１（ａ）に示す面格子において、左右方向左側にある上取付具及びその周囲部分を示す横断面図である。
【符号の説明】
【００１２】
１      面格子
３      格子体
５      上取付具
７      下取付具
９      サッシ枠
１１    引き戸障子
１３    水平軸
１５    格子体側ブラケット
１７    サッシ枠側ブラケット
１９    突き出し・折り畳み自在アーム
２１    操作摘み
２３    蓋
２５    貫通孔
２７    大径部
２９    小径部
【図１】
2005232888.tif 000003
【図２】
2005232888.tif 000004
【図３】
2005232888.tif 000005
【図４】
2005232888.tif 000006